【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
医療用イメージングシステムであって、
機械実行可能命令を記憶するためのメモリと、
前記医療用イメージングシステムを制御するためのプロセッサとを備え、前記機械実行可能命令の実行により、前記プロセッサは、
・ＱＳＭ磁気共鳴イメージングデータから関心領域について予備画像を再構成し、ＱＳＭイメージングセグメンテーションアルゴリズムを使用して前記予備画像をセグメント化することによって、予備セグメンテーションエッジを含む予備セグメンテーションを計算し、
・前記ＱＳＭ磁気共鳴イメージングデータから前記関心領域について第１のＱＳＭ画像を再構成し、ここで、前記第１のＱＳＭ画像の前記再構成は、前記第１のＱＳＭ画像の再構成中、前記予備セグメンテーションエッジに依存する正則化関数を少なくとも部分的に使用して実行され、
・前記ＱＳＭ画像セグメンテーションアルゴリズムを使用して前記第１のＱＳＭ画像をセグメント化することによって第１のセグメンテーションエッジを含む第１のセグメンテーションを計算し、
・前記ＱＳＭ磁気共鳴イメージングデータから前記関心領域について第２のＱＳＭ画像を再構成し、ここで、前記第２のＱＳＭ画像の前記再構成は、前記第１のセグメンテーションエッジに依存する前記正則化関数を少なくとも部分的に使用して実行され、
前記機械実行可能命令の実行により、前記プロセッサはさらに、
・  前記ＱＳＭ画像セグメンテーションアルゴリズムを使用して前記第２のＱＳＭ画像をセグメント化することによって前記第１のセグメンテーションを再計算することと、
・  前記ＱＳＭ磁気共鳴イメージングデータから前記関心領域について前記第２のＱＳＭ画像を再構成することとを反復する、医療用イメージングシステム。
【請求項２】
前記第２のＱＳＭ画像の反復再構成は所定回数実行される、請求項１に記載の医療用イメージングシステム。
【請求項３】
前記第２のＱＳＭ画像の反復再構成は、収束メトリックが所定範囲内になるまで実行される、請求項１に記載の医療用イメージングシステム。
【請求項４】
前記医療用イメージングシステムは、さらに、磁気共鳴イメージングシステムを備え、前記メモリは、さらに、ＱＳＭパルスシーケンスコマンドを記憶し、前記ＱＳＭパルスシーケンスコマンドは、前記磁気イメージングシステムに、磁気共鳴定量的磁化率マッピングプロトコルに従ってＱＳＭ磁気共鳴イメージングデータを取得させ、前記機械実行可能命令の実行により、前記プロセッサは、前記ＱＳＭパルスシーケンスコマンドを使用して前記ＱＳＭ磁気共鳴イメージングデータを取得するよう前記磁気共鳴イメージングシステムを制御する、請求項１から４のいずれか一項に記載の医療用イメージングシステム。
【請求項５】
前記予備磁気共鳴画像は調査画像である、請求項１から４のいずれか一項に記載の医療用イメージングシステム。
【請求項６】
前記予備セグメンテーションを受け取ることは、調査画像セグメンテーションアルゴリズムを用いて前記予備磁気共鳴画像をセグメント化することによって前記予備セグメンテーションを計算することを含む、請求項５に記載の医療用イメージングシステム。
【請求項７】
前記メモリは、さらに、調査画像パルスシーケンスコマンドを含み、前記機械実行可能命令の実行により、前記プロセッサはさらに、
・  前記磁気共鳴イメージングシステムを前記調査画像パルスシーケンスコマンドを用いて制御することによって調査磁気共鳴イメージングデータを取得し、
・  前記調査磁気共鳴イメージングデータを用いて前記調査磁気共鳴画像を再構成する、請求項６に記載の医療用イメージングシステム。
【請求項８】
前記第１のＱＳＭ画像及び／又は前記第２のＱＳＭ画像を再構成することは、最小２乗問題として下式を解くことを含み、
【数３】
2019504664.tif 000001
ここで、Ｂ０は外部磁場であり、γは磁気回転比であり、Ｄはダイポール演算子であり、Ｌはラプラシアンであり、λは正則化パラメータであり、
【数４】
2019504664.tif 000002
は勾配演算子であり、Ｗ１はデータ忠実度のためのバイナリマスクであり、Ｗ２は正規化のためのバイナリマスクである、請求項１から７のいずれか一項に記載の医療用イメージングシステム。
【請求項９】
前記ＱＳＭ画像セグメンテーションアルゴリズムは、ＱＳＭ画像を使用して訓練及び／又は構成される、請求項１から８のいずれか一項に記載の医療用イメージングシステム。
【請求項１０】
医療用イメージングシステムの動作方法であって、機械実行可能命令の実行により、プロセッサは、
・  ＱＳＭ磁気共鳴イメージングデータから関心領域について予備画像を再構成し、ＱＳＭイメージングセグメンテーションアルゴリズムを使用して前記予備画像をセグメント化することによって、予備セグメンテーションエッジを含む予備セグメンテーションを計算し、
・  前記ＱＳＭ磁気共鳴イメージングデータから前記関心領域について第１のＱＳＭ画像を再構成し、ここで、前記第１のＱＳＭ画像の前記再構成は、前記第１のＱＳＭ画像の再構成中、前記予備セグメンテーションエッジに依存する正則化関数を少なくとも部分的に使用して実行され、
・  前記ＱＳＭ画像セグメンテーションアルゴリズムを使用して前記第１のＱＳＭ画像をセグメント化することによって第１のセグメンテーションエッジを含む第１のセグメンテーションを計算し、
・  前記ＱＳＭ磁気共鳴イメージングデータから前記関心領域について第２のＱＳＭ画像を再構成し、ここで、前記第２のＱＳＭ画像の前記再構成は、前記第１のセグメンテーションエッジに依存する前記正則化関数を少なくとも部分的に使用して実行され、
前記機械実行可能命令の実行により、前記プロセッサはさらに、
・  前記ＱＳＭ画像セグメンテーションアルゴリズムを使用して前記第２のＱＳＭ画像をセグメント化することによって前記第１のセグメンテーションを再計算することと、
・  前記ＱＳＭ磁気共鳴イメージングデータから前記関心領域について前記第２のＱＳＭ画像を再構成することとを反復する、方法。
【請求項１１】
医療用イメージングシステムを制御するプロセッサによって実行される機械実行可能命令を含むコンピュータプログラムであって、前記機械実行可能命令の実行により、前記プロセッサは、
・  ＱＳＭ磁気共鳴イメージングデータから関心領域について予備画像を再構成し、ＱＳＭイメージングセグメンテーションアルゴリズムを使用して前記予備画像をセグメント化することによって、予備セグメンテーションエッジを含む予備セグメンテーションを計算し、
・  前記ＱＳＭ磁気共鳴イメージングデータから前記関心領域について第１のＱＳＭ画像を再構成し、ここで、前記第１のＱＳＭ画像の前記再構成は、前記第１のＱＳＭ画像の再構成中、前記予備セグメンテーションエッジに依存する正則化関数を少なくとも部分的に使用して実行され、
・  前記ＱＳＭ画像セグメンテーションアルゴリズムを使用して前記第１のＱＳＭ画像をセグメント化することによって第１のセグメンテーションエッジを含む第１のセグメンテーションを計算し、
・  前記ＱＳＭ磁気共鳴イメージングデータから前記関心領域について第２のＱＳＭ画像を再構成し、ここで、前記第２のＱＳＭ画像の前記再構成は、前記第１のセグメンテーションエッジに依存する前記正則化関数を少なくとも部分的に使用して実行され、
前記機械実行可能命令の実行により、前記プロセッサはさらに、
・  前記ＱＳＭ画像セグメンテーションアルゴリズムを使用して前記第２のＱＳＭ画像をセグメント化することによって前記第１のセグメンテーションを再計算することと、
・  前記ＱＳＭ磁気共鳴イメージングデータから前記関心領域について前記第２のＱＳＭ画像を再構成することとを反復する、コンピュータプログラム。
【手続補正２】
【補正対象書類名】明細書
【補正対象項目名】００１１
【補正方法】変更
【補正の内容】
【００１１】
コンピュータ実行可能コードは、本発明の態様をプロセッサに行わせるマシン実行可能命令又はプログラムを含んでもよい。本発明の態様に関する動作を実施するためのコンピュータ実行可能コードは、Java（登録商標）、Smalltalk（登録商標）、又はC++等のオブジェクト指向プログラミング言語及び「Ｃ」プログラミング言語又は類似のプログラミング言語等の従来の手続きプログラミング言語を含む１つ又は複数のプログラミング言語の任意の組み合わせで書かれてもよい及びマシン実行可能命令にコンパイルされてもよい。場合によっては、コンピュータ実行可能コードは、高水準言語の形態又は事前コンパイル形態でもよい及び臨機応変にマシン実行可能命令を生成するインタプリタと共に使用されてもよい。